(57)【特許請求の範囲】
【請求項１】
間仕切り壁パネルにより構成される壁部に三方開口枠材と引戸扉が引込まれる控え壁パネルが配設されて形成される開口部の構造であって、開口部の左右および上部の少くともいずれかの間仕切り壁パネルと控え壁パネルは、ともに表面の仕上げ材の少くとも一部を欠いて開口枠材に当接されているとともに、双方に連なる仕上げ材を欠いた表面域には仕上げ材が双方に跨がって後付け固定されていることを特徴とする間仕切り壁パネルの壁開口部の形成構造。
【請求項２】
間仕切り壁パネルにより構成される壁部に三方開口枠材と引戸扉が引込まれる控え壁パネルが配設されて形成される開口部の構造であって、開口部の左右および上部の少くともいずれかの間仕切り壁パネルと開口枠材との間には調整壁パネルが介在され、該調整壁パネルと控え壁パネルは、ともに表面の仕上げ材の少くとも一部を欠いて開口枠材に当接されているとともに、双方に連なる仕上げ材を欠いた表面域には仕上げ材が双方に跨がって後付け固定されていることを特徴とする間仕切り壁パネルの壁開口部の形成構造。
【発明の詳細な説明】
【技術分野】
【０００１】
本発明は、内装用の間仕切り壁パネルによる壁面での開口部の形成構造に関するものである。
【背景技術】
【０００２】
従来、部屋と部屋の間を区切る間仕切り壁パネル等を用いた壁面に引戸等により開閉自在とした開口部を設けることがあり、このような場合の開口部の形成には、従来より様々な工夫がなされてきている。
【０００３】
たとえば引戸のための開口構造としては、図９に示したように、壁本体１に対して開口部枠材２を設けて引戸扉３の開閉を可能にする際に、壁本体１の側端より開口側に突出する控え壁４を配設することで施工全体を簡略化することが提案されている（特許文献１）。
【０００４】
しかしながら、たとえば図１０の立面図およびＡ−Ａ断面図に示したような間仕切り壁パネル１０と三方の開口部枠材２０Ａ、２０Ｂ、２０Ｃ、２０Ｄ、引戸扉３、そして控え壁４による構成では、図１１のように、引戸扉３の開閉による開口部枠材２０に対しての衝撃や振動の間仕切り壁パネル１０への伝播にともなって不具合が生じかねないという問題があった。すなわち、たとえば図１２に示したように、引戸扉３による縦開口部枠材２０Ａに対しての衝撃が間仕切り壁パネル１０を振動させて、間仕切り壁パネル１０と開口部枠材２０Ａ、そして控え壁４との接合部を浮かせてしまい、段差５０が発生するという問題点がある。また、図１３に示したように、引戸扉３による衝撃にともなう微細振動の繰り返しによって、上記のような接合部でのパテ割れ６０が生じるという問題点がある。
【０００５】
これらの問題点は、間仕切り壁パネルの開口部構造の強度や外観性にとって大きな支障となるものであった。
【０００６】
また、このような不具合は、引戸扉３が衝突する縦開口枠材２０Ａにおいて発生するだけでなく、たとえば、引戸扉３を吊り構造とする上部開口枠材２０Ｂと上部間仕切り壁パネルにおいても引戸扉３の開閉時の振動の伝播によって生じかねないものであった。
【特許文献１】特開２００１−３２２８７９号公報
【発明の開示】
【発明が解決しようとする課題】
【０００７】
本発明は、上記のとおりの背景から、従来の構造の問題点を解消し、間仕切り壁パネルの壁開口部において、引戸扉の開閉時の衝撃振動の間仕切り壁パネルへの伝播による開口部枠材との間の接合部での浮き段差やパテ割れの発生等の不具合が生じることのない、間仕切り壁パネルの壁開口部の形成構造を提供することを課題としている。
【課題を解決するための手段】
【０００８】
本発明の間仕切り壁パネルの壁開口部の形成構造は、上記の課題を解決するものとして、以下のことを特徴としている。
【０００９】
第１：間仕切り壁パネルにより構成される壁部に三方開口枠材と引戸扉が引込まれる控え壁パネルが配設されて形成される開口部の構造であって、開口部の左右および上部の少くともいずれかの間仕切り壁パネルと控え壁パネルは、ともに表面の仕上げ材の少くとも一部を欠いて開口枠材に当接されているとともに、双方に連なる仕上げ材を欠いた表面域には仕上げ材が双方に跨がって後付け固定されている。
【００１０】
第２：間仕切り壁パネルにより構成される壁部に三方開口枠材と引戸扉が引込まれる控え壁パネルが配設されて形成される開口部の構造であって、開口部の左右および上部の少くともいずれかの間仕切り壁パネルと開口枠材との間には調整壁パネルが介在され、該調整壁パネルと控え壁パネルは、ともに表面の仕上げ材の少くとも一部を欠いて開口枠材に当接されているとともに、双方に連なる仕上げ材を欠いた表面域には仕上げ材が双方に跨がって後付け固定されている。
【発明の効果】
【００１１】
上記のとおりの本願第１の発明によれば、引戸扉の開閉時の衝撃や振動が開口部枠材から間仕切り壁パネルに伝播したとしても、後付けの仕上げ材は間仕切り壁パネルと仕上げ材が控えられている控え壁パネルとの双方に跨がっているので、振動を吸収して間仕切り壁パネルと開口部枠材並びに控え壁パネルとの接合部において従来のような浮き段差やパテ割れ等の不具合が生じることを防止することができる。
【００１２】
このような効果は、引戸扉の開閉時の衝突衝撃が加わる縦開口枠材においてだけでなく、吊り戸構造とした場合の上部開口枠材においても実現されることになる。
【００１３】
本願第２の発明によれば、第１の発明と同様にして、引戸扉の開閉時の衝撃や振動が開口部枠材から調整壁パネルに伝播したとしても、後付けの仕上げ材は調整壁パネルと控え壁パネルとの双方に跨がっているので、振動を吸収して調整壁パネルと開口部枠材並びに控え壁パネルとの接合部において従来のような浮き段差やパテ割れ等の不具合が生じることを防止することができる。
【００１４】
また、調整壁パネルの介在によって、衝撃や振動が間仕切り壁パネルとの接合部に不具合を生じさせることもない。さらには、調整壁パネルは、その幅の選択等によって開口部の設置についての施工自由度を高める。
【発明を実施するための最良の形態】
【００１５】
本発明は、上記のとおりの特徴をもつものであるが、以下にその実施の形態について説明する。
【００１６】
添付した図１は、第１の発明の実施形態を図１０と同様の横断面図として例示したものである。すなわち、間仕切り壁パネルにより構成される壁部に三方の開口枠材と引戸扉が引込まれる控え壁パネルが配設されて形成される開口部では、たとえば図１に例示したように、間仕切り壁パネル１０と控え壁パネル４０は、ともにその表裏面に石膏ボード、合板等の仕上げ材を有しているものの、いずれも表面側の仕上げ材１１，４１の一部を欠いたものとして縦開口枠材２０Ａに当接される。図２は、この際の控え壁パネル４０について横断面図並びに立面図として例示したものである。控え壁パネル４０は、たとえば、表裏の仕上げ材４１，４２と芯材４３とにより構成されており、表面側の仕上げ材４１の一部を欠いている。
【００１７】
間仕切り壁パネル１０と控え壁パネル４０は、表面側の仕上げ材の一部を欠いた状態で縦開口枠材２０Ａに対して接着剤等により仮止めしてもよいし、あるいは釘、ビス等により取付け固定してもよい。
【００１８】
次いで、間仕切り壁パネル１０と控え壁パネル４０との双方に連なる仕上げ材１１，４１の一部を欠いた表面域７０には、仕上げ材７１が双方に跨がって釘、ビス、ネジ等によって後付け固定される。この固定は、縦開口枠材２０Ａに対して行われてもよい。仕切げ材７１のこのような双方に跨がっての配設固定によって、縦開口枠材２０Ａ、間仕切り壁パネル１０との接合面は従来の図１０のように表面側に連続することはなく、仕上げ材７１によって遮断されることになる。そして、仕上げ材７１の表面側からの固定は容易でもある。
【００１９】
以上のような開口部の形成構造においては、たとえば図３にその作用の概要を示したように、縦開口枠材２０Ａが受けた引戸扉３の開閉にともなう衝突衝撃は、図中に矢印で示したように、縦開口枠材２０Ａと間仕切り壁パネル１０との接合部、控え壁パネル４０と間仕切り壁パネル１０との接合部、そして仕上げ材７１との当接面から仕上げ材７１の合体へと伝わることになる。仕上げ材７１の存在によって振動は分散吸収され、仕上げ材７１の両端、すなわち控え壁パネル４０側、間仕切り壁パネル１０側に到達する力は軽減されて、控え壁パネル４０との接合部や間仕切り壁パネル１０との接合部において、従来のような浮き段差やパテ割れなどの不具合を発生させることはない。
【００２０】
そして、上記したように、仕上げ材７１は、控え壁パネル４０と間仕切り壁パネル１０の双方に跨がる配置構造によって、上記の接合部を確実に安定して固定することを可能し、これらの不具合の発生を構造的にも防止している。
【００２１】
仕上げ材７１を用いる以上のような構造は、図４における縦開口枠材２０Ａにおける構造として有効なだけでなく、引戸扉を吊り構造とした場合等の控え壁パネル４０上方の上部開口枠材２０Ｂにおいても有効である。
【００２２】
引戸扉の吊り構造においては、開閉操作にともなう繰り返し振動や衝撃が、従来の場合には上部間仕切り壁パネル１０Ａとの接合部に不具合を生じさせかねなかったからである。
【００２３】
図５は、このような不具合、つまり浮き段差やパテ割れ等の不具合の発生を未然に防止することのできる実施の形態を例示したものである。すなわち、たとえば天井面８０に当接する上部間仕切り壁パネル１０Ａはその下端部において、また、控え壁パネル４０はその上端部において、ともに表面の仕上げ材１０Ａ１，４１の一部を欠いて上部開口枠材２０Ｂに当接されているとともに、双方に連なる仕上げ材１０Ａ１，４１の一部を欠いた表面域７０には仕上げ材７１が双方に跨がって後付け固定される。この構造によって上記のような顕著な効果が得られることになる。
【００２４】
図６は、第２の発明の一実施形態を例示した横断面図であって、この例においては、縦開口枠材２０Ａと間仕切り壁パネル１０との間には調整壁パネル９０が介在されている。そして、この調整壁パネル９０は、たとえば図７の横断面図並びに立面図として例示したように枠材９３と裏面側の仕上げ材９２を有しているものの、表面側の仕上げ材９１を欠いている。もとろん、表面側の仕上げ材９１は、この例のように全て欠いていてもよいし、あるいは調整壁パネル９０の幅の大きさに応じて一部欠いているものであってもよい。
【００２５】
また、控え壁パネル４０は、表面側の仕上げ材４１を一部欠いている。
【００２６】
このような調整壁パネル９０と控え壁パネル４０とを図６のように縦開口枠材２０Ａに当接するとともに、仕上げ材を欠いた表面７０には、別体として用意された仕上げ材７１が後付け固定される。後付け固定においては、たとえば図８に例示したように、調整壁パネル９０の表面側仕上げ材９１を欠いている内側から釘、ビス、ネジ等によって調整壁パネル９０を縦開口枠材２０Ａに固定１０１し、あるいは仮固定した後に、仕上げ材７１を、控え壁パネル４０の芯材４３に、また、調整壁パネル９０の枠材９３に釘、ビス、ネジ等で固定１０２，１０３することができる。もちろん、この場合、さらに様々な固定形態が可能である。また、調整壁パネル９０は、間仕切り壁パネル１０に各種の手段によって固定されてよい。
【００２７】
このような調整壁パネル９０を用いる構造においては、引戸扉３の開閉時の衝撃や振動が縦開口枠材２０Ａから調整壁パネル９０に伝播しても、後付け固定された仕上げ材７１は、調整壁パネル９０と控え壁パネル４０の双方に跨がって固定されているので、振動を吸収して拡散することができ、調整壁パネル９０と縦開口枠材２０Ａ並びに控え壁パネル４０との接合部において従来のような不具合を生じさせることはない。さらにまた、間仕切り壁パネル１０の接合部に振動の悪影響を及ぼすことはない。
【００２８】
このように衝撃、そして振動による不具合の発生は、調整壁パネルの介在によってより効果的に防止されることになる。
【００２９】
また、調整壁パネルは、その幅の選択等によって、間仕切り壁パネルによる壁部での開口部の設置についての設計や施工の自由度を高めることにある。後付け固定の仕上げ材７１によって、開口部での縦開口枠材２０Ａ、控え壁パネル４０、調整壁パネル９０、間仕切り壁パネルの接合は確実に安定したものとなる。
【００３０】
もとろん、以上のような構造と特徴は、図５に例示した上部開口枠材２０Ｂにおいても同様に実現されることになる。
【００３１】
なお、開口部には、図４に示したもう一方の縦開口枠材２０Ｃが設置されるが、この縦開口枠材２０Ｃにおいては、控え壁パネル４０が配置されていないことからも、引戸扉の衝撃に対しての間仕切り壁パネルによる耐衝撃性は大きく、大きな問題が生じることはほとんどでない。
【００３２】
また、以上の説明については、図４に示した控え壁パネル４０を支持する縦開口枠材２０Ｄの設置や、間仕切り壁パネル１０の建込み、引戸扉を吊り構造とする場合等についての詳述していないが、これらは、従来公知の構造や手段をはじめとして各種のものが適宜に適用されてよい。いずれの場合においても、様々な形態として本発明の開口部の形成構造は実施可能とされる。
【図面の簡単な説明】
【００３３】
【図１】第１の発明の一実施形態を例示した横断面図である。
【図２】図１の例示における控え壁パネルを拡大して示した横断面図と立面図である。
【図３】図１の例示における作用概要を示した横断面図である。
【図４】開口部の外観を例示した立面図である。
【図５】第１の発明の別の実施形態として上部開口枠材と上部間仕切り壁パネルの場合につい  て例示した縦断面図である。
【図６】第２の発明の一実施形態を例示した横断面図である。
【図７】図６の例示における調整壁パネルを拡大して示した横断面図である。
【図８】図６の例示について仕上げ材の固定を例示した横断面図である。
【図９】控え壁パネルを用いた従来の引戸扉開口部の外観を示した斜視図である。
【図１０】従来の開口部の外観を示した立面図と、Ａ−Ａ横断面図である。
【図１１】図１０の従来の開口部の構造における衝撃の発生を示した横断面図である。
【図１２】従来構造での浮き段差の発生を示した部分断面図である。
【図１３】従来の構造でのパテ割れの発生を示した部分断面図である。
【符号の説明】
【００３４】
１  壁本体
２  開口枠材
３  引戸扉
４  控え壁
１０  間仕切り壁パネル
１１  仕上げ材
１０Ａ  上部間仕切り壁パネル
１０Ａ１  仕上げ材
２０Ａ，２０Ｃ，２０Ｄ  縦開口枠材
２０Ｂ  上部開口枠材
４０  控え壁パネル
４１，４２  仕上げ材
４３  芯材
５０  段差
６０  パチ割れ
７０  表面域
７１  仕上げ材
８０  天井面
９０  調整壁パネル
９１，９２  仕上げ材
９３  枠材
１０１，１０２，１０３  固定
【図１】
0004415908.tif 000002
【図２】
0004415908.tif 000003
【図３】
0004415908.tif 000004
【図４】
0004415908.tif 000005
【図５】
0004415908.tif 000006
【図６】
0004415908.tif 000007
【図７】
0004415908.tif 000008
【図８】
0004415908.tif 000009
【図９】
0004415908.tif 000010
【図１０】
0004415908.tif 000011
【図１１】
0004415908.tif 000012
【図１２】
0004415908.tif 000013
【図１３】
0004415908.tif 000014